【手続補正書】
【提出日】平成30年6月5日(2018.6.5)
【手続補正１】
【補正対象書類名】特許請求の範囲
【補正対象項目名】請求項１
【補正方法】変更
【補正の内容】
【請求項１】
軸心方向両端領域において軸心周りに回転可能に支持された中空の筒状容器からなる回転体と、
当該回転体の外側にこれを内包して回転しないように配置され、前記軸心に平行な方向一端側が開口し、他端側が当該方向に略直交する方向の隔壁により閉塞された外側器体と、
前記回転体の軸心方向前記隔壁側の端部、及び前記隔壁を挟んで前記外側器体の外側に前記端部の前記方向に直交する端面に対向して配置され、回転駆動力を受けて回転可能に支持される駆動軸からなる非接触トルク伝達機構と、
前記外側器体の開口を前記方向に直交する方向に閉塞するように設けられ、当該外側器体の内外を連通する間隙を備える非接触シール部とを含むことを特徴とする回転体駆動・シール構造。
【手続補正２】
【補正対象書類名】特許請求の範囲
【補正対象項目名】請求項４
【補正方法】変更
【補正の内容】
【請求項４】
鉛直な軸心方向両端領域において軸心周りに回転可能に支持され、被処理流体又は処理後の成分流体の流出入管を上端部に備える遠心筒と、
当該遠心筒の内部において、その内周面に外周が密接した状態で前記軸線方向に上下動可能な可動部材と、
前記遠心筒の外側にこれを内包するように配置され、上側に前記遠心筒を通すための開口を有し下側を塞ぐ隔壁を底とする有底の外側器体と、
前記外側器体の上部に設けられて前記流出入管を回転可能に支持する回転継手部と、
前記遠心筒下端に直接的に又は間接的に連結される従動端、及び前記隔壁を挟んで前記外側器体の外側から前記従動端の端面に対向して配置され、回転駆動力を受けて回転可能に支持された駆動軸の前記隔壁側の端部に配置される駆動端で構成される非接触トルク伝達機構と、
前記回転継手部内において前記外側器体の開口を水平方向に閉塞するように設けられ、当該外側器体の内外を連通する間隙を備える非接触シール部と、
を含んでなることを特徴とする遠心分離装置。
【手続補正３】
【補正対象書類名】特許請求の範囲
【補正対象項目名】請求項５
【補正方法】変更
【補正の内容】
【請求項５】
前記非接触シール部は、前記間隙の大きさを調整可能に構成されたものである請求項４に記載の遠心分離装置。
【手続補正４】
【補正対象書類名】特許請求の範囲
【補正対象項目名】請求項７
【補正方法】変更
【補正の内容】
【請求項７】
前記ラビリンスシールは、前記回転継手部に固定された外輪に対して前記流出入管を回転可能に支持する内輪が上下方向に僅かに移動し、ラビリンス間隙を調整可能に構成されてなる請求項６に記載の遠心分離装置。
【手続補正５】
【補正対象書類名】明細書
【補正対象項目名】０００８
【補正方法】変更
【補正の内容】
【０００８】
前記目的は、本発明の一局面によれば、軸心方向両端領域において軸心周りに回転可能に支持された中空の筒状容器からなる回転体と、当該回転体の外側にこれを内包して回転しないように配置され、前記軸心に平行な方向一端側が開口し、他端側が当該方向に略直交する方向の隔壁により閉塞された外側器体と、前記回転体の軸心方向前記隔壁側の端部、及び前記隔壁を挟んで前記外側器体の外側に前記端部の前記方向に直交する端面に対向して配置され、回転駆動力を受けて回転可能に支持される駆動軸からなる非接触トルク伝達機構と、前記外側器体の開口を前記方向に直交する方向に閉塞するように設けられ、当該外側器体の内外を連通する間隙を備える非接触シール部とを含むことを特徴とする回転体駆動・シール構造によって達成される。
【手続補正６】
【補正対象書類名】明細書
【補正対象項目名】０００９
【補正方法】変更
【補正の内容】
【０００９】
前記目的はまた、本発明の別の局面によれば、上下動可能な可動部材と、前記遠心筒の外側にこれを内包するように配置され、上側に前記遠心筒を通すための開口を有し下側を塞ぐ隔壁を底とする有底の外側器体と、前記外側器体の上部に設けられて前記流出入管を回転可能に支持する回転継手部と、前記遠心筒下端に直接的に又は間接的に連結される従動端、及び前記隔壁を挟んで前記外側器体の外側から前記従動端の端面に対向して配置され、回転駆動力を受けて回転可能に支持された駆動軸の前記隔壁側の端部に配置される駆動端で構成される非接触トルク伝達機構と、前記回転継手部内において前記外側器体の開口を水平方向に閉塞するように設けられ、当該外側器体の内外を連通する間隙を備える非接触シール部と、を含んでなることを特徴とする遠心分離装置によって達成される。
【手続補正７】
【補正対象書類名】明細書
【補正対象項目名】００１７
【補正方法】変更
【補正の内容】
【００１７】
回転体１０１の軸心Ｃ方向他端寄りには、これと外側器体１０３との間に非接触シール部１０８が設けられている。図１に例示する非接触シール部１０８は、回転体１０１の外周壁と外側器体１０３の内周壁とから互いに近接する方向に張り出して回転体１０１と外側器体１０３との間の空間を軸心Ｃ方向に直交する方向に閉塞するように配置されており、外側器体１０３の内外を連通する間隙１０９を備えている。この間隙１０９は、回転体１０１の回転により密封状態に維持される。このような非接触シール部１０８としては、従来公知の各種の形式のもの、例えばラビリンスシール、ねじシール、油溝、フリンガーなどの中から被処理流体の性状を考慮して適宜選択して用いることができる。これらの型式のうちでは、ラビリンスシールを用いるのが好ましい。
【手続補正８】
【補正対象書類名】明細書
【補正対象項目名】００１８
【補正方法】変更
【補正の内容】
【００１８】
本実施形態の回転体駆動・シール構造１００は、以上の構成により、外側器体１０３はその駆動側を隔壁１０４で閉塞され、駆動端１０５と従動端１０２とがこれらの間に隔壁１０４を介在させて非接触トルク伝達機構１０７を構成し、回転体１０１の回転中は、非接触シール部１０８の間隙１０９が密封状態とされることで、回転体１０１、外側器体１０３、隔壁１０４及び非接触シール部１０８で囲まれた空間（斜線でハッチングした領域）を密閉して密閉空間を形成できる。このように密閉空間を形成できることで、回転体１０１の回転中は、この空間の外側からの流体（気体を含む）の流入や内側の流体（気体を含む）の流出を抑えることができ、また当該空間内について必要に応じて滅菌などの処理を行うことができる。
【手続補正９】
【補正対象書類名】明細書
【補正対象項目名】００２４
【補正方法】変更
【補正の内容】
【００２４】
ラビリンスシール３２は、図３及び図４に示すように、挿通孔６２を中央領域に有する内輪６１と、外輪６０とから構成される。挿通孔６２は、ロータリージョイント軸３５の外径に略合致するように設けられている。内輪６１は、ロータリージョイントケース３０内において、挿通孔６２にロータリージョイント軸３５が嵌め込まれ、当該軸３５の外周面から径方向に張り出して配置され、当該軸３５の回転に伴い回転するように構成されている。また外輪６０は、ロータリージョイントケース３０の内周壁から内輪６１に近接する方向に水平に張り出し、外側器体１０３の開口を閉塞するように設けられる。外輪６０は、ロータリージョイントケース３０に固定され回転しない。
【手続補正１０】
【補正対象書類名】明細書
【補正対象項目名】００４３
【補正方法】変更
【補正の内容】
【００４３】
以上説明したように、本実施形態の遠心分離装置１は、軸心Ｃ周りに回転可能な遠心筒（回転体）２と、当該回転体の外側に配置される樹脂チャンバー（外側器体）１０と、カップリングチャンバー（隔壁）１６を介して対向する遠心筒側の従動端１８と駆動端４３とからなる磁気カップリング（非接触トルク伝達機構）８と、遠心筒２と樹脂チャンバー１０との間に配置されたラビリンスシール（非接触シール部）３２とを含む構成としているので、遠心筒２の回転中は、ラビリンス間隙６３を密封状態にして遠心筒２と樹脂チャンバー１０との間に密閉空間を形成できる。これにより、遠心筒上端のロータリージョイント内で内部の流体が漏洩した場合でも、従来の接触シールのようにゴムシールなどの素材の摩耗による破片が流体内に混入するコンタミネーションが生じることがない。また、仮に回転中に遠心筒から内部流体が漏洩した場合や樹脂チャンバー内に封入されたガスなどがそこから漏出し汚染など引き起こすことがない。